(57)【要約】【課題】納骨室部分に自然光を入射して、明るくすることで、明るく温かみを持たせるとともに、既存の墓石に適用する場合であっても多大な費用や手間が不要な墓石を提供すること。【解決手段】棹石１、上台２、中台３、納骨室（カロート）４、拝石（納骨室の蓋）４Ａ、下台６、水鉢９、ガラスブロック５Ａを有する。外部と納骨室との間に設置され取り外し可能で持ち運びできる水鉢９（墓石の付属品）の一部に、ガラスブロックあるいは強化プラスチックを用いている。外部からの自然光は、水鉢９に設けられたガラスブロック５Ａと、水鉢９を貫通する貫通穴と、中台３に設けられた空洞（納骨口）を通して納骨室４に入射され、納骨室４の内部を明るくする。なお、水鉢９の代わりに拝石４Ａの一部、あるいは水鉢９と拝石４Ａの両方の一部にガラスブロックあるいは強化プラスチックを用いるようにしてもよい。【選択図】図１
0003158277.tif 000002
【実用新案登録請求の範囲】
【請求項１】
外部と納骨室との間に設置される取り外し可能で持ち運びできる墓石の付属品の一部に、ガラスブロックあるいは強化プラスチックを用いたことを特徴とする墓石。
【請求項２】
請求項１記載の墓石であって、
前記付属品は、水鉢あるいは拝石であることを特徴とする墓石。
【請求項３】
請求項１または２のいずれかに記載の墓石であって、
前記ガラスブロックは、板ガラス、曇りガラス、擦りガラス、透明ガラスのいずれかであることを特徴とする墓石。
【請求項４】
請求項１から３のいずれかに記載の墓石であって、
前記強化プラスチックは、色付きプラスチックであることを特徴とする墓石。
【請求項５】
請求項１から４のいずれかに記載の墓石であって、
前記ガラスブロックあるいは強化プラスチックを通して、自然光または蝋燭の光が納骨室の内部に入射するように構成されたことを特徴とする墓石。
【考案の詳細な説明】
【技術分野】
【０００１】
本考案は、墓石のイメージを明るく、かつ温かみのあるものに変えるための墓石に係り、特に、ガラスまたはプラスチック組み込み構造にした場合であっても多大な工事費用や手間を要しない墓石に関するものである。
【背景技術】
【０００２】
従来の墓石は、下台、中台、上台、蓮華またはスリンなど複数の石を順次重ねて、この上部に棹石（竿石）を重ねた墓石構造を有している。この中には複数の石（棹石（竿石）とこの下部の上台または／および中台）を一体に形成したものも提案されている。図４は、特開平９−３１７２４８号公報（特許文献１）に開示された墓石構造を示すもので、ここでは、下台６の上に中台３を設置し、その上に一体形成された棹石（竿石）１と上台２を設置した墓石１０の構造例を示している。
【０００３】
一般に、墓石の種類としては、納骨室（地下）の上に、中台、上台、棹石を重ねたものと、納骨室（地下）の上に、納骨室の蓋、中台、上台、棹石を重ねたものと、地上に納骨室（丘カロート）があり、その上に中台、上台、棹石を重ねたものとがある。
【０００４】
ところで、一般の墓石は、納骨室（カロート）部分が地下または地上最下部にあり、周囲が石またはコンクリートで囲まれており、通常は光が入射しないため、内部は真っ暗であった。そのため、じめじめしたイメージや暗くて寂しいイメージ、冷たいイメージがあった。
【０００５】
最近、納骨室に雨や虫等の侵入を防止する墓石が提案されている（特開２００３−２７８４１０号公報（特許文献２）参照）。これは、図５に示すように、納骨室を地下または地上の最下部に置かずに、碑石内に納骨室を形成し、納骨室の周壁に納骨口を形成し、その納骨口を開閉する蓋を設けたものである。蓋は内蓋と外蓋の２重にし、この構造により雨や虫等の侵入を防止している。
【０００６】
同図において、１は棹石（竿石）、２は上台、３は中台、４は納骨室、６は下台、７は土台、９は水鉢、１０は墓石、１１は納骨口、１２は内蓋、１３は外蓋を示している。
【０００７】
しかし、この場合にも、単に納骨室を墓石の途中の石内に設けただけで、その構造は周囲が石やコンクリートで囲まれており、暗くて寂しいイメージであることには変わりがない。
【０００８】
そこで、本出願人は、この問題を解消するために、納骨室部分に自然光を入射して、明るくすることによって従来のイメージを払拭し、明るく温かみのある墓石の構造を提案した（実用新案登録第３１０６２８６号公報（特許文献３）参照）。
【０００９】
特許文献３で提案した墓石では、納骨室（カロート）部分や墓石の下部（中台や芝台）の一部にガラスブロックあるいは強化プラスチックを組み込んだ構造としたものであり、この構造により、納骨室部分に自然光を取り入れて、内部を明るくすることができ、従来の暗いイメージを払拭して、明るく温かみのある商品（墓石）を実現している。
【００１０】
以下、特許文献３に提案した構成例を、図面を用いて簡単に説明する。
（構成例１）
図６は、特許文献３に開示されたガラス組み込み墓石の第１の構成例を示す図である。同図において、１は棹石、２は上台、３は中台、４は納骨室（カロート）である。
【００１１】
同図（ａ）では、納骨室（カロート）４の部分が地下にあり、納骨室４の部分に自然光が入射できるように、納骨室４の上部の中台３の一部にガラスブロック５または強化プラスチック５を組み込んである。
【００１２】
同図（ｂ）は、同図（ａ）の中台の一部にガラスブロックまたは強化プラスチックを組み込んだ場合の斜視図であり、５の部分が、ガラスブロックまたは強化プラスチックである。
【００１３】
（構成例２）
図７は、特許文献３に開示されたガラス組み込み墓石の第２の構成例を示す図である。同図において、１は棹石、２は上台、３は中台、４は納骨室（カロート）、４Ａは納骨室の蓋または芝台である。
【００１４】
同図（ａ）では、納骨室（カロート）４の部分が地下にあり、納骨室４の部分に自然光が入射できるように、納骨室４の蓋または芝台４Ａの一部にガラスブロック５または強化プラスチック５を組み込んである。
【００１５】
同図（ｂ）は、同図（ａ）の蓋または芝台の一部にガラスブロックまたは強化プラスチックを組み込んだ場合の斜視図であり、５の部分が、ガラスブロックまたは強化プラスチックを示している。
【００１６】
（構成例３）
図８は、特許文献３に開示されたガラス組み込み墓石の第３の構成例を示す図である。同図において、１は棹石、２は上台、３は中台、４は納骨室（カロート）、４Ａは納骨室の蓋、４Ｂは納骨室の土台である。
【００１７】
同図（ａ）では、納骨室（カロート）４の部分が地上にあり、納骨室４の部分に自然光が入射できるように、納骨室４自体の一部にガラスブロック５または強化プラスチック５を組み込む。
【００１８】
同図(ｂ)は、同図（ａ）の納骨室自体の一部にガラスブロックまたは強化プラスチックを組み込んだ場合の斜視図であり、同図５の部分が、ガラスブロックまたは強化プラスチックである。
【００１９】
同図（ａ）から明らかなように、納骨室（カロート）４の周囲側壁と底面の部分は石またはコンクリートで形成されているが、上面と下面には蓋４Ａおよび土台４Ｂが重ねられている。
【００２０】
上述した特許文献３の構成例１〜３に示すように、墓石の一部にガラスブロックまたは強化プラスチック５を組み込むことにより、納骨室に自然光が入射し、納骨室（カロート）４の内部を明るくすることができる。また、夜には自然光は入射しないが、蝋燭に火をつければ、蝋燭の光がガラスブロックまたは強化プラスチック５から入射することにより、納骨室４の内部が明るくなり、温かみのある墓石が実現できる。なお、ガラスブロック５または強化プラスチック５として、曇りガラスあるいは擦りガラス、色付きの強化プラスチックを用いることにより、納骨室（カロート）４の内部が外部から直接見えないようにすることもできる。
【先行技術文献】
【特許文献】
【００２１】
【特許文献１】特開平０９−３１７２４８号公報
【特許文献２】特開２００３−２７８４１０号公報
【特許文献３】実用新案登録第３１０６２８６号公報
【考案の概要】
【考案が解決しようとする課題】
【００２２】
上述したように、特許文献３によれば、墓石の一部にガラスブロックまたは強化プラスチック５を組み込むことにより、納骨室（カロート）４の内部を明るくすることができるという特許文献１，２にない顕著な効果を得ることができる。
【００２３】
しかしながら、特許文献３に記載された墓石は、墓石の納骨室（カロート）、中台、あるいは芝台の一部にガラスブロックあるいは強化プラスチックを組み込んだ構造としたため、墓石の新規取り付けの際には対応できたが、既存の墓石に対しては対応が困難であった。
【００２４】
従来、既存の墓石の一部（納骨室（カロート）、中台、あるいは芝台の一部）にガラスブロックや強化プラスチックの取り付けを行う場合、現場での取り付け工事は難しく、墓石を重機などを用いて一旦解体して加工工場へ持ち込み、加工工場において前記解体した墓石の必要な箇所にガラスブロックや強化プラスチックなどの取り付け部材を取り付け、その後再度現場に運搬して組み立てる必要があった。その際、解体、運搬、組み立てなどの作業の他に、墓石の解体時の墓石の魂抜き（除魂式）、再取り付け後の魂入れ（開眼式）などを行うのが一般的であり、多大な費用と手間がかかるという問題があった。
【００２５】
本考案は、墓石のイメージを明るく、かつ温かみのあるものに変えるための墓石において、ガラスあるいはプラスチック組み込み構造にした場合であっても多大な工事費用や手間を必要としない墓石を提供することを目的としている。
【課題を解決するための手段】
【００２６】
本考案にかかるガラス組み込み墓石は、上記の目的を達成するために、外部と納骨室との間に設置される取り外し可能で簡単に持ち運びできる墓石の付属品（水鉢あるいは拝石（納骨室の蓋石））の少なくとも一方の一部分にガラスブロック（曇りガラスあるいは擦りガラスまたは透明の板ガラス）、または色付の強化プラスチックを組み込み、外部の自然光や蝋燭の光が納骨室に入射するようにしたことを特徴としている。
【考案の効果】
【００２７】
本考案によれば、外部と納骨室との間に設置される取り外し可能で簡単に持ち運びできる墓石の付属品である水鉢や拝石（納骨室の蓋石）部分に曇りガラスあるいは擦りガラス、色付の強化プラスチックまたは透明の板ガラスを組み込む構造にしたので、納骨室の内部に自然光が入射し、納骨室内部を明るくすることができ、従来の暗いイメージを払拭することができ、明るく温かみのある墓石の実現が可能になるとともに、墓石の一部にガラスブロックや強化プラスチックの取り付けする場合に従来必要であった上述した如き多大な費用と手間も不要になるという効果を有する。
【図面の簡単な説明】
【００２８】
【図１】本考案に係るガラス組み込み墓石の実施例の全体構造を説明するための図である。
【図２】図１における水鉢の構造を示す図である。
【図３】図１における拝石の構造を示す図である。
【図４】特許文献１に係る墓石の構造を示す図である。
【図５】特許文献２に係る墓石の構造を示す図である。
【図６】特許文献３の構成例１に係る墓石の構造を示す図である。
【図７】特許文献３の構成例２に係る墓石の構造を示す図である。
【図８】特許文献３の構成例３に係る墓石の構造を示す図である。
【考案を実施するための形態】
【００２９】
以下、本考案の実施例を、図面により詳細に説明する。
（実施例１）
本考案は、外部と納骨室（カロート）との間に手で取り外し可能で簡単に持ち運びできる付属品（水鉢）が設置される構造の墓石において、多大な費用と手間も必要とせずに、納骨室の内部に自然光が入射し、納骨室内部を明るくすることが可能な墓石構造を提案するものである。
【００３０】
図１は、本考案の実施例に係る墓石の構造図である。
図１において、１は棹石（竿石）、２は上台、３は中台、６は下台、４は納骨室（カロート）、４Ａは拝石（納骨室の蓋）、９は水鉢、５Ａは、外部と納骨室の間に設けられ取り外して持ち運びが可能な墓石の付属品である水鉢９の一部に設けられたガラスブロックであり、水鉢９を貫通するように設けられた貫通穴全体あるいは貫通穴の外側部分を塞ぐように設けられている。図２は、図１の水鉢９の詳細構造図である。
【００３１】
中台３には、その前面から納骨室４に納骨するための穴（納骨口になる穴）が設けられており、その穴は通常は前に置かれた水鉢９によって隠されるようになっている。この構成において、納骨時には、中台３の前に置かれた水鉢９を手で持ち上げたり横にずらしたりして中台に設けられた納骨口となる穴を露出させ、この穴から納骨するようにしている。この墓石の構造は、従来から知られている構成であるが、従来の場合、水鉢は石でできていて光を通さないため納骨室には光が入らず暗いじめじめしたイメージがあった。
【００３２】
本実施例では、図２に示すように、手で取り外し可能で簡単に持ち運びできる水鉢９の一部に外部からの光を通すガラスブロックを設けたことを特徴としている。
【００３３】
この構成により、外部からの自然光は、水鉢９に設けられたガラスブロック５Ａと、水鉢９を貫通する貫通穴と、中台３に設けられた空洞（納骨口）を通して納骨室４に入射され、納骨室（カロート）４の内部を明るくする。夜には、自然光は入射しないが、蝋燭に火をつければ、蝋燭の光（明かり）がガラスブロック５Ａから入射することにより、納骨室４の内部が少し明るくなる。
【００３４】
なお、ガラスブロック５Ａには、任意の模様を入れることも可能であって、例えば十字架や動物の絵等を書き入れ、絵の部分とそれ以外の部分とを色の違いあるいは透明度の違いで区別することもできる。
【００３５】
また、ガラスブロック５Ａの代わりに、曇りガラスあるいは擦りガラスあるいは透明の板ガラス、またはガラス以外の素材として色付の強化プラスチックを用いてもよい。曇りガラスあるいは擦りガラスあるいは色付の強化プラスチックを用いると、納骨室４の内部が直接見えないようにすることができる。
【００３６】
（実施例２）
図３は、本考案の実施例２に係る墓石の拝石（納骨室の蓋）４Ａの詳細構造図である。
【００３７】
図３において、５Ｂは、外部と納骨室４の間に設けられ手で取り外して持ち運びが可能な墓石の付属品である拝石（納骨室の蓋）４Ａの一部に設けられた板ガラスを示している。板ガラス５Ｂは、外部からの光を納骨室４に入射させるためのものであり、曇りガラスあるいは擦りガラス、またはガラス以外の素材として色付の強化プラスチックでもよく、その材質は問わない。
【００３８】
外部からの自然光は、板ガラス５Ｂを通して納骨室４に入射され、納骨室（カロート）４の内部を明るくする。夜には、自然光は入射しないが、蝋燭に火をつければ、蝋燭の明かりが板ガラス５Ｂから入射することにより、納骨室４の内部を少し明るくすることができる。
【００３９】
なお、板ガラス５Ｂには、任意の模様を入れることも可能であって、例えば十字架や動物の絵等を書き入れ、絵の部分とそれ以外の部分とを色の違いあるいは透明度の違いで区別することもできる。
【００４０】
なお、板ガラス５Ｂの代わりに、曇りガラスあるいは擦りガラス、またはガラス以外の素材として色付の強化プラスチックを用いると、納骨室４の内部が直接見えないが、透明の板ガラスを使った場合は納骨室４の内部が丸見えになってしまうので好ましくない。
【００４１】
（実施例３）
上記実施例１は水鉢９の一部分（図１、２参照）にガラスブロックあるいは強化プラスチックを用いた実施例であり、上記実施例２は拝石４Ａの一部分（図３参照）にガラスブロックあるいは強化プラスチックを用いた実施例であるが、水鉢９の一部分および拝石４Ａの一部分の両方に、ガラスブロックあるいは強化プラスチックを用いるようにしてもよい。
【００４２】
実施例３は、水鉢９の一部分（図２参照）および拝石４Ａの一部分（図３参照）の両方に、ガラスブロックあるいは強化プラスチックを用いた墓石の実施例であり、このようにすることにより、外部の光（自然光あるいは蝋燭の明かり）がさらに納骨室４に入りやすくなり納骨室内をより明るくすることができる。
【符号の説明】
【００４３】
１：棹石
２：上台
３：中台
４：納骨室（カロート）
４Ａ：拝石，納骨室の蓋または芝台
４Ｂ：納骨室の土台
５：ガラスブロックまたは強化プラスチック
５Ａ：ガラスブロック
５Ｂ：板ガラス
６：下台
７：土台
９：水鉢
１１：納骨口
１２：内蓋
１３：外蓋
【図１】
0003158277.tif 000003
【図２】
0003158277.tif 000004
【図３】
0003158277.tif 000005
【図４】
0003158277.tif 000006
【図５】
0003158277.tif 000007
【図６】
0003158277.tif 000008
【図７】
0003158277.tif 000009
【図８】
0003158277.tif 000010